(57)【要約】    【課題】  コンクリート用骨材の凍結防止を低コストで比較的簡単に行うことができるコンクリート用骨材凍結防止装置を提供することである。    【解決手段】  制御ユニット（１０）と、制御ユニットに接続された１又は複数の温度センサ（１２）と、制御ユニットに接続された１又は複数の風速センサ（１４）と、制御ユニットに接続され、骨材に蒸気を噴射する蒸気配管（１８）を開閉するための弁（１６）とを備え、制御ユニットには、温度と風速の組合せに応じて、弁の開放時間と閉鎖時間を予め設定したデータが格納されており、センサにより温度と風速が計測されると、データに基づいて、弁の開放時間と閉鎖時間が定められ、これにより蒸気の噴射が行われたり噴射が停止されたりするように構成されている骨材凍結防止装置。【選択図】  図１
2006205534.tif 000002
【特許請求の範囲】
【請求項１】
コンクリート用骨材凍結防止装置であって、
制御ユニットと、前記制御ユニットに接続された１又は複数の温度センサと、前記制御ユニットに接続された１又は複数の風速センサと、前記制御ユニットに接続され、骨材に蒸気を噴射する蒸気配管を開閉するための弁とを備え、
前記制御ユニットには、温度と風速の組合せに応じて、前記弁の開放時間と閉鎖時間を予め設定したデータが格納されており、
前記センサにより温度と風速が計測されると、前記データに基づいて、前記弁の開放時間と閉鎖時間が定められ、これにより蒸気の噴射が行われたり噴射が停止されたりするように構成されていることを特徴とする装置。
【請求項２】
前記データにおいて、温度と風速の１つの組合せに対して、複数種類の開放時間及び／又は閉鎖時間が設定されていることを特徴とする請求項１に記載のコンクリート用骨材凍結防止装置。
【発明の詳細な説明】
【技術分野】
【０００１】
本発明は、コンクリート用骨材の凍結を防止するための装置に関する。
【背景技術】
【０００２】
コンクリートを形成する材料のひとつである骨材（砂、砂利、砕石など）は、生コンクリート工場や二次製品コンクリート工場では、通常、屋外に設置したストックヤードに貯蔵されており、コンクリート製造の際に、ベルトコンベア等の搬送手段でストックヤードからコンクリート・ミキサまで搬送されるようになっている。一方、寒冷地においては、骨材が凍結すると、骨材をベルトコンベア等で搬送する際に骨材がスリップしてしまい、円滑に搬送できないという課題がある。また、骨材が凍結した状態でコンクリートを製造すると、コンクリートの品質に悪影響を及ぼすおそれもある。従来は、このような課題を解決するために、寒冷地のバッチャープラント等では、骨材ストックヤードにおいて骨材に蒸気を噴射して凍結を防止していた。
【発明の開示】
【発明が解決しようとする課題】
【０００３】
しかしながら、冬期間中、常時、蒸気の噴射を行うと、莫大な燃料を消費するうえ、ボイラにも大きな負荷が加えられるという課題がある。一方、蒸気噴射用のバルブの開閉を適宜行うのは、実質的に不可能である。
【０００４】
したがって、本発明は、コンクリート用骨材の凍結防止を低コストで比較的簡単に行うことができるコンクリート用骨材凍結防止装置を提供することを目的としている。
【課題を解決するための手段】
【０００５】
本発明者は、種々の実験の結果、骨材の凍結に、気温が大きな影響を及ぼすのはもちろんのこと、風速の影響も極めて大きいことを見い出した。そこで、本発明者は、温度と風速の組合せに対して必要最小限の蒸気を噴射して骨材の凍結を効率的に防止する装置を開発した。
【０００６】
本願請求項１に記載のコンクリート用骨材凍結防止装置は、制御ユニットと、前記制御ユニットに接続された１又は複数の温度センサと、前記制御ユニットに接続された１又は複数の風速センサと、前記制御ユニットに接続され、骨材に蒸気を噴射する蒸気配管を開閉するための弁とを備え、前記制御ユニットには、温度と風速の組合せに応じて、前記弁の開放時間と閉鎖時間を予め設定したデータが格納されており、前記センサにより温度と風速が計測されると、前記データに基づいて、前記弁の開放時間と閉鎖時間が定められ、これにより蒸気の噴射が行われたり噴射が停止されたりするように構成されていることを特徴とするものである。
【０００７】
本願請求項２に記載のコンクリート用骨材凍結防止装置は、前記請求項１の装置において、前記データにおいて、温度と風速の１つの組合せに対して、複数種類の開放時間及び／又は閉鎖時間が設定されていることを特徴とするものである。
【発明の効果】
【０００８】
本発明の装置により、低コストで（蒸気噴射の停止時には燃料不要となる）比較的簡単に骨材の凍結を防止することができる。
【発明を実施するための最良の形態】
【０００９】
次に図面を参照して、本発明の好ましい実施の形態に係るコンクリート用骨材凍結防止装置について詳細に説明する。図１は、本発明の好ましい実施の形態に係るコンクリート用骨材凍結防止装置が骨材ストックヤードに設置されている状態を模式的に示した図である。本発明の好ましい実施の形態に係るコンクリート用骨材凍結防止装置は、制御ユニット１０と、制御ユニット１０に接続された温度センサ１２と、制御ユニット１０に接続された風速センサ１４と、制御ユニット１０に接続され、蒸気配管１８を開閉するための弁１６とを備えている。
【００１０】
温度センサ１２は、１個又は複数個が骨材ストックヤード内の所定箇所に配置されている。また、風速センサ１４も、温度センサ１２と同様に、１個又は複数個が骨材ストックヤード内の所定箇所に配置されている。温度センサ１２及び風速センサ１４としては、例えば、骨材ホッパ取出口や骨材表面近傍などがあげられる。なお、温度センサ１２及び風速センサ１４は、通常の型式のものを使用してよい。
【００１１】
制御ユニット１０は、中央演算処理装置１０ａと、メモリ１０ｂとを有している。メモリ１０ｂには、温度（ｔ）と風速（ｗ）の各々の組合せに応じて、弁１６の開放時間（Ａ）と閉鎖時間（Ｂ）を予め設定したデータ（弁の開閉データ）が格納されている。これらの弁の開閉データは、本発明のコンクリート用骨材凍結防止装置が設置される骨材ストックヤードの環境（例えば、骨材ホッパの構造、囲い構造、屋根の有無、開口部の覆いの有無など）に応じて、変動する。
【００１２】
弁の開閉データは、例えば、以下のとおりである。
温度t1、風速w1の場合は、弁の開放時間A1、弁の閉鎖時間B1の繰り返しとする（図２（ａ）参照）。
温度t1、風速w2の場合は、弁の開放時間A2、弁の閉鎖時間B1の繰り返しとする。
温度t1、風速w3の場合は、弁の開放時間A3、弁の閉鎖時間B2の繰り返しとする。
・・・・・・・・・・・・・・
温度t5、風速w6の場合は、弁の開放時間A8、弁の閉鎖時間B6の繰り返しとする。
【００１３】
上述の弁の開閉データでは、温度と風速の或る組合せに対しては、１種類の開放時間と１種類の閉鎖時間の繰り返しであるが、開放時間及び／又は閉鎖時間を複数種類設定してもよい（例えば、温度t1、風速w1に対して、A1，B1，A1，B2，A1，B3，・・・・（図２（ｂ）参照）、或いは、温度t1、風速w3に対して、A1，B1，A2，B2，A3，B3，・・・・）。
【００１４】
（実施例１）
骨材ホッパ取出口、骨材表面近傍、骨材の落とし口で各々風速が０の場合である。この場合は、温度制御のみとする。すなわち、
温度０°Ｃ以上            弁閉鎖
温度０°Ｃ                弁開放２分、弁閉鎖８分の繰り返し
温度−５°Ｃ              弁開放３分、弁閉鎖６分の繰り返し
温度−１０°Ｃ            弁開放５分、弁閉鎖５分の繰り返し
温度−１５°Ｃ            弁開放６分、弁閉鎖４分の繰り返し
温度−２０°Ｃ以下        弁開放８分、弁閉鎖２分の繰り返し
【００１５】
（実施例２）
骨材ホッパ取出口で風速０、骨材表面近傍で風速有りの場合である。
骨材表面風速２ｍ／秒以下のとき、
温度０°Ｃ以上            弁閉鎖
温度０°Ｃ                弁開放２分、弁閉鎖８分の繰り返し
温度−５°Ｃ              弁開放３分、弁閉鎖６分の繰り返し
温度−１０°Ｃ            弁開放５分、弁閉鎖５分の繰り返し
温度−１５°Ｃ            弁開放６分、弁閉鎖４分の繰り返し
温度−２０°Ｃ以下        弁開放８分、弁閉鎖２分の繰り返し
骨材表面風速２ｍ／秒以上５ｍ／秒以下のとき、
温度０°Ｃ                弁開放２分、弁閉鎖６分の繰り返し
温度−５°Ｃ              弁開放３分、弁閉鎖４分の繰り返し
温度−１０°Ｃ            弁開放５分、弁閉鎖３分の繰り返し
温度−１５°Ｃ            弁開放６分、弁閉鎖２分の繰り返し
温度−２０°Ｃ以下        弁開放８分、弁閉鎖２分の繰り返し
【００１６】
（実施例３）
骨材ホッパ取出口、骨材表面近傍とも風速有りの場合である。
骨材表面風速２ｍ／秒以下のとき、
温度０°Ｃ以上            弁閉鎖
温度０°Ｃ                弁開放２分、弁閉鎖７分の繰り返し
温度−５°Ｃ              弁開放３分、弁閉鎖５分の繰り返し
温度−１０°Ｃ            弁開放５分、弁閉鎖４分の繰り返し
温度−１５°Ｃ            弁開放６分、弁閉鎖３分の繰り返し
温度−２０°Ｃ以下        弁開放８分、弁閉鎖２分の繰り返し
骨材表面風速２ｍ／秒以上５ｍ／秒以下のとき、
温度０°Ｃ                弁開放３分、弁閉鎖５分の繰り返し
温度−５°Ｃ              弁開放４分、弁閉鎖３分の繰り返し
温度−１０°Ｃ            弁開放６分、弁閉鎖３分の繰り返し
温度−１５°Ｃ            弁開放７分、弁閉鎖２分の繰り返し
温度−２０°Ｃ以下        弁開放１０分、弁閉鎖２分の繰り返し
【００１７】
なお、上述の実施例１〜３に示した弁の開閉データはあくまでも例示的なものであり、装置が設置される骨材ストックヤードの環境に応じて変動する。また、噴射蒸気の圧力は、約０．７ＭＰａＧ以上であるのが好ましい。
【００１８】
図３に示す例では、弁１８が骨材ホッパの下端付近に設置されており、図４に示す例では、弁１８が骨材ホッパの上端付近に設置されている点を除いて、これらの装置は、図１に示される骨材凍結防止装置と実質的に同一の構成を有している。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００２０】
【図１】本発明の好ましい実施の形態に係るコンクリート用骨材凍結防止装置が骨材ストックヤードに設置されている状態を模式的に示した図である。
【図２】弁の開閉の例を模式的に示した図である。
【図３】本発明の好ましい実施の形態に係るコンクリート用骨材凍結防止装置が骨材ストックヤードに設置されている別の状態を模式的に示した図である。
【図４】本発明の好ましい実施の形態に係るコンクリート用骨材凍結防止装置が骨材ストックヤードに設置されている更に別の状態を模式的に示した図である。
【符号の説明】
【００２１】
１０  制御ユニット
１２  温度センサ
１４  風速センサ
１６  弁
１８  蒸気配管
【図１】
2006205534.tif 000003
【図２】
2006205534.tif 000004
【図３】
2006205534.tif 000005
【図４】
2006205534.tif 000006